【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
左右に背合わせ状にパチンコ機を配列して形成される遊技機島の上部に設けられ，各パチンコ機にパチンコ玉を供給する装置であって、前記遊技機島の前後長手方向に配置され，少なくとも，上流側端部と下流側端部に設けた二つのローラーに懸架され，上位直線部，下位直線部，上流側円弧部，および下流側円弧部を形成し、磁力を有する無端状の搬送ベルトと、前記下位直線部の直下に，前記パチンコ玉の直径とほぼ等しい間隔を開けて設けられた平板部を備え，前記下位直線部の移動によって，前記平板部の上面を前記パチンコ玉が下流側端部へ向けて移動する補給樋と、前記補給樋に設けられ，前記補給樋のパチンコ玉を各パチンコ機に供給する複数の補給シュートと、前記下流側円弧部の外面に沿って，前記パチンコ玉の直径よりやや狭い間隔を開けて設けられた湾曲板を備え，前記下流側円弧部の移動によって，前記湾曲板の表面を前記パチンコ玉が移動する端部樋と、前記上位直線部を下から支持する支持プレートを備え，前記上位直線部に上載されたパチンコ玉が上流側端部へ向けて移動する支持樋と、を備えたことを特徴とするパチンコ玉供給装置。
【請求項２】
左右に背合わせ状にパチンコ機を配列して形成される遊技機島の上部に設けられ，各パチンコ機にパチンコ玉を供給する装置であって、前記遊技機島の前後長手方向に水平に配置され，少なくとも，上流側と下流側に設けた二つのローラーに懸架され，上位直線部，下位直線部，上流側円弧部，および下流側円弧部を形成する無端状の搬送ベルトと、前記下位直線部の直下に，前記パチンコ玉の直径とほぼ等しい間隔を開けて設けられ，前記下位直線部の移動によって，上面を前記パチンコ玉が下流側端部へ向けて移動する平板部を備えた補給樋と、前記補給樋に設けられ，前記補給樋のパチンコ玉を各パチンコ機に供給する複数の補給シュートと、前記下流側円弧部の外面に沿って，前記パチンコ玉の直径よりやや狭い間隔を開けて設けられた湾曲板を備え，前記下流側円弧部の移動によって，前記湾曲板の表面を前記パチンコ玉が移動する端部樋と、前記上位直線部を下から支持する支持プレートを備え，前記上位直線部に上載されたパチンコ玉が上流側端部へ向けて移動する支持樋と、を備えたことを特徴とするパチンコ玉供給装置。
【請求項３】
前記搬送ベルトを前記ローラーと共に、左右短尺方向の一方側に所定角度で傾斜させ，前記複数の補給シュートを、前記補給樋の低所側である左右短尺方向の一方側に設けたことを特徴とする請求項１または２に記載のパチンコ玉供給装置。
【請求項４】
前記補給樋の左右両端部から側壁を立設し、前記端部樋の湾曲板の左右両端部から横壁を立設し、前記支持樋の支持プレートの左右両端部からサイド壁を立設し、当該サイド壁のうち、前記補給樋の低所側に位置するサイド壁の上流側端部を、内方に傾斜させて傾斜ガイドとしたことを特徴とする請求項３に記載のパチンコ玉供給装置。
【請求項５】
前記搬送ベルトを，磁力を有するものとしたことを特徴とする請求項２に記載のパチンコ玉供給装置。
【手続補正２】
【補正対象書類名】明細書
【補正対象項目名】全文
【補正方法】変更
【補正の内容】
【発明の詳細な説明】
【発明の名称】パチンコ玉供給装置
【技術分野】
【０００１】
本発明は、パチンコ遊技場の遊技機島に設けられ、その遊技機島を構成する各パチンコ機へパチンコ玉を供給するための供給装置に関するものである。
【背景技術】
【０００２】
パチンコ遊技場においては、左右に背合わせ状に配列された複数のパチンコ機によって遊技機島が構成され、この遊技機島の上部には、各パチンコ機にパチンコ玉を供給するための供給装置が設けられている。
【０００３】
この従来の供給装置は、遊技機島の下部に設けた貯留タンクのパチンコ玉を揚送機構で遊技機島の上部に位置する供給部まで送り、そこから供給装置によって連続的に各パチンコ機に供給するようにしている。そして、供給装置によって送られたパチンコ玉のうち、パチンコ機に供給されず残存したものは、供給装置の下流側端部から再び貯留タンクに戻された後、再び、揚送機構によって供給部まで揚送され、同様の順序で供給装置によって各パチンコ機に供給するようにしている（例えば、特許文献１参照）。
【０００４】
【特許文献１】特開平１０−４３４１２号公報
【発明の開示】
【発明が解決しようとする課題】
【０００５】
しかし、従来技術に係る供給装置は、揚送機構によって遊技機島の上部の供給部まで揚送したパチンコ玉のうち、いずれのパチンコ機にも供給されなかったものを遊技機島の下部に位置する貯留タンクまで戻し、そこから再び揚送機構で供給部まで揚送するので、パチンコ玉の供給が極めて非効率的で非経済的に行われるといった問題がある。
【０００６】
すなわち、パチンコ機に供給されることなく貯留タンクに戻ったパチンコ玉を揚送機構で再び揚送することは、それだけ余分なパチンコ玉を揚送することであり、従って、揚送機構に必要以上の稼動を強いることになる。その結果、消費電力が多く、故障も発生し易いなどの問題が発生する。
【０００７】
また、揚送機構は、パチンコ玉を揚送しながら研磨布で研磨する機能も備えているため、研磨布を定期的に交換する必要がある。一旦、揚送機構で研磨されて供給部まで揚送され、パチンコ機に供給されることなく貯留タンクに戻ったパチンコ玉（これには、貯留タンクで汚れが付着する）を、再び、揚送機構で研磨することは、研磨布を無駄に消費することになり、極めて非経済的である。
【０００８】
本発明は、こうした問題に鑑み創案されたもので、パチンコ玉を効率的かつ経済的に各パチンコ機に供給することのできる供給装置を提供することを課題とする。
【課題を解決するための手段】
【０００９】
図１乃至図８を参照して説明する。請求項１に記載のパチンコ玉供給装置１は、左右に背合わせ状にパチンコ機３を配列して形成される遊技機島２の上部に設けられ、各パチンコ機３にパチンコ玉４を供給する装置である。
【００１０】
この装置１は、前記遊技機島２の前後長手方向に配置され、少なくとも、上流側端部と下流側端部に設けた二つのローラー１１に懸架され、上位直線部１２、下位直線部１３、上流側円弧部１４、および下流側円弧部１５を形成し、磁力を有する無端状の搬送ベルト１０と、前記下位直線部１３の直下に、前記パチンコ玉４の直径とほぼ等しい間隔Ｃを開けて設けられた平板部２１を備え、前記下位直線部１３の移動によって、前記平板部２１の上面を前記パチンコ玉４が下流側端部へ向けて移動する補給樋２０と、前記補給樋２０に設けられ、前記補給樋２０のパチンコ玉４を各パチンコ機３に供給する複数の補給シュート３０と、前記下流側円弧部１５の外面に沿って、前記パチンコ玉４の直径よりやや狭い間隔Ｃ１を開けて設けられた湾曲板８１を備え、前記下流側円弧部１５の移動によって、前記湾曲板８１の表面を前記パチンコ玉４が移動する端部樋８０と、前記上位直線部１２を下から支持する支持プレート７１を備え，前記上位直線部１２に上載されたパチンコ玉４が上流側端部へ向けて移動する支持樋７０と、を備えるものである。
【００１１】
請求項２に記載のパチンコ玉供給装置１は、左右に背合わせ状にパチンコ機３を配列して形成される遊技機島２の上部に設けられ、各パチンコ機３にパチンコ玉４を供給する装置である。
【００１２】
この装置１は、前記遊技機島２の前後長手方向に水平に配置され、少なくとも、上流側と下流側に設けた二つのローラー１１に懸架され、上位直線部１２、下位直線部１３、上流側円弧部１４、および下流側円弧部１５を形成する無端状の搬送ベルト１０と、前記下位直線部１３の直下に、前記パチンコ玉４の直径とほぼ等しい間隔Ｃを開けて設けられ、前記下位直線部１３の移動によって上面を前記パチンコ玉４が下流側端部へ向けて移動する平板部２１を備えた補給樋２０と、前記補給樋２０に設けられ、前記補給樋２０のパチンコ玉４を、各パチンコ機３に供給する複数の補給シュート３０と、前記下流側円弧部１５の外面に沿って，前記パチンコ玉４の直径よりやや狭い間隔Ｃ１を開けて設けられた湾曲板８１を備え、前記下流側円弧部１５の移動によって、前記湾曲板８１の表面を前記パチンコ玉４が移動する端部樋８０と、前記上位直線部１２を下から支持する支持プレート７１を備え，前記上位直線部１２に上載されたパチンコ玉４が上流側端部へ向けて移動する支持樋７０と、を備えるものである。
【００１３】
請求項３に記載のパチンコ玉供給装置１は、請求項１または２に記載の発明において、前記搬送ベルト１０を前記ローラー１１と共に、左右短尺方向の一方側に所定角度で傾斜させ，前記複数の補給シュート３０を、前記補給樋２０の低所側である左右短尺方向の一方側に設けたものである。
【００１４】
請求項４に記載のパチンコ玉供給装置１は、請求項３に記載の発明において、前記補給樋２０の左右両端部から側壁２２を立設し、前記端部樋８０の湾曲板８１の左右両端部から横壁８２を立設し、前記支持樋７０の支持プレート７１の左右両端部からサイド壁７２を立設し、当該サイド壁７２のうち、前記補給樋２０の低所側に位置するサイド壁７２の上流側端部を、内方に傾斜させて傾斜ガイド７３としたものである。
【００１５】
請求項５に記載のパチンコ玉供給装置１は、請求項２の発明において、前記搬送ベルト１０を，磁力を有するものとしたものである。
【発明の効果】
【００１６】
請求項１に記載のパチンコ玉供給装置１は、下流側円弧部１５の外面に沿って、パチンコ玉４の直径よりやや狭い間隔Ｃ１を開けて設けられた湾曲板８１を備える端部樋８０を設けたので、パチンコ玉４を効率的かつ経済的に各パチンコ機３に供給することができる。
【００１７】
すなわち、いずれのパチンコ機３にも供給されず補給樋２０の下流側端部に残存したパチンコ玉４は、下流側円弧部１５と湾曲板８１との間に挟まれた状態で移動して、上位直線部１２まで達し、そのまま上位直線部１２で搬送されて供給部５１に戻される。従って、従来技術のように、補給樋２０に残存したパチンコ玉４を遊技機島２の下部に位置する貯留タンク５２まで戻し、そこから再び揚送機構５０によって供給部５１まで揚送する必要がない。
【００１８】
これにより、揚送機構５０に必要以上の稼動を強いることがなく、よって消費電力を削減し、故障の発生を抑制することができる。また、揚送機構５０に設けられている研磨布の無駄な消費をなくすことができる。従って、パチンコ玉４をきわめて効率的にパチンコ機３に供給することができ、経済的である。
【００１９】
なお、下位直線部１３と平板部２１との間の間隔Ｃをパチンコ玉４の直径とほぼ等しく設定しているので、供給部５１のパチンコ玉４を、補給樋２０の平板部２１の上面を、搬送ベルト１０の下位直線部１３で挟んで押すようにして転がしながら円滑に移動させることができる。
【００２０】
また、上位直線部１２は支持枠の支持プレート７１によって下から支持されているので、パチンコ玉４の重みで陥没することなく、当該パチンコ玉４を安定姿勢で上載して供給部５１まで搬送することができる。
【００２１】
また、搬送ベルト１０を、磁力を有するものとしたので、磁力によって鉄製であるパチンコ玉４を吸着し、より効率的に搬送することができる。
【００２２】
請求項２に記載のパチンコ玉供給装置１は、請求項１に記載の発明と同様の効果を発揮する。また、このパチンコ玉供給装置１は、搬送ベルト１０を前後長手方向に水平に配置しているので、高さ方向に大きな設置スペースを必要としないと共に、照明を遮らない。従って、遊技場を広く開放感があり、明るい雰囲気の場所とすることができる。
【００２３】
請求項３に記載のパチンコ玉供給装置は、請求項１および２に記載の発明と同様の効果を発揮する。また、補給樋２０を左右の一方側に傾斜させているため、全てのパチンコ玉４は搬送されながら補給樋２０の低所側Ｌに集まる。そして、低所側Ｌに集まったパチンコ玉４は、第一補給シュート３１によって低所側Ｌのパチンコ機３に供給され、第二補給シュート３２によって高所側Ｈのパチンコ機３に供給される。従って、左右両側のパチンコ機３に均等にパチンコ玉４を供給することができる。
【００２４】
請求項４に記載のパチンコ玉供給装置１は、請求項１，２および３に記載の発明と同様の効果を発揮する。また、補給樋２０に側壁２２を立設し、支持樋７０の支持プレート７１からサイド壁７２を立設し、さらに、端部樋８０の湾曲板８１から横壁８２を立設しているので、これら側壁２２、サイド壁７２および横壁８２によって、パチンコ玉４が前後進行方向からそれて左右側に落下するのを防止することができる。これにより、パチンコ玉４を正確に移動させることができる。
【００２５】
また、補給樋２０の低所側Ｌの直上に位置するサイド壁７２の上流側端部を、内方に傾斜させた傾斜ガイド７３としたので、パチンコ玉４を供給部５１の中央部に戻すことができる。これにより、パチンコ玉４が供給部５１の左右一方側に偏って溜まり、そこからこぼれ落ちてしまうなどの事態を未然に防止することができる。
【００２６】
すなわち、この装置１は、搬送ベルト１０を左右短尺方向の一方側に傾斜させているため、上位直線部１２も下位直線部１３と同様に傾斜しており、従って、上位直線部１２によって搬送されるパチンコ玉４は低所側Ｌに集中した状態で搬送される。傾斜ガイド７３を設けることによって、この低所側Ｌに集中しているパチンコ玉４を中心側に押し戻し、供給部５１の中央部に落下させることができるものである。
【００２７】
請求項５に記載のパチンコ玉供給装置１は、請求項２に記載の発明と同様の効果を発揮する。また、搬送ベルト１０を、磁力を有するものとしたので、磁力によって鉄製であるパチンコ玉４を吸着し、より効率的に搬送することができる。
【発明を実施するための最良の形態】
【００２８】
本発明に係るパチンコ玉供給装置１の実施形態を、図１乃至図８に示す。これは、左右に背合わせ状にパチンコ機３を配列して形成される遊技機島２の上部に設けられ、各パチンコ機３にパチンコ玉４を供給する装置であり、搬送ベルト１０、補給樋２０、第一補給シュート３１、第二補給シュート３２、支持樋７０、および端部樋８０を備える。
【００２９】
搬送ベルト１０は、遊技機島２の前後長手方向に水平に配置され、上流側と下流側に設けた二つのローラー１１に懸架されるものであり、そのローラー１１と共に、左右短尺方向の一方側に所定角度αで傾斜し、上位直線部１２、下位直線部１３、上流側円弧部１４、および下流側円弧部１５を形成する無端状である。なお、本実施形態では、下流側のローラー１１をモーターで駆動する駆動ローラー１１ａとし、上流側のローラー１１を従動ローラー１１ｂとしている。図３において、符号Ｅは水平ラインを示し、符号Ｄは搬送ベルト１０の傾斜ラインを示す。
【００３０】
補給樋２０は、下位直線部１３の直下に、パチンコ玉４の直径とほぼ等しい間隔Ｃを開けて設けられ（図３参照）、搬送ベルト１０と同一の傾斜角度で固定されている。また、上面にパチンコ玉４が移動する平板部２１を備え、下位直線部１３の移動によってその上面をパチンコ玉４が移動するものである。
【００３１】
第一補給シュート３１は、補給樋２０の低所側Ｌである左右短尺方向の一方側に、前後長手方向に沿ってほぼ等間隔で複数設けられ、補給樋２０のパチンコ玉４を、その自重で、低所側Ｌに位置するパチンコ機３に供給する。
【００３２】
第二補給シュート３２は、第一補給シュート３１に隣接して、低所側Ｌに、前後長手方向に沿ってほぼ等間隔で複数設けられ、補給樋２０のパチンコ玉４を、その自重で、補給樋２０の高所側Ｈに位置するパチンコ機３に供給するものである。
【００３３】
支持樋７０は、上位直線部１２を下から支持する平板状の支持プレート７１を備える。端部樋８０は、下流側円弧部１５の外面に沿って、当該下流側円弧部１５との間に、パチンコ玉４の直径よりやや狭い間隔Ｃ１を開けて設けられた湾曲板８１を備え（図７参照）、下流側円弧部１５の移動によって、湾曲板８１の表面をパチンコ玉４が移動するものである。
【００３４】
なお、本実施形態では、補給樋２０を、平板部２１の左右両端部から側壁２２を立設して構成し、また、支持樋７０を、支持プレート７１の左右両端部からサイド壁７２を立設して構成している（図３）。さらに、端部樋８０の湾曲板８１の左右両端部から横壁８２を立設している（図７）。また、支持樋７０の二つのサイド壁７２のうち、補給樋２０の低所側Ｌの直上に位置するサイド壁７２の上流側端部を、内方に傾斜させて傾斜ガイド７３としている（図８）。
【００３５】
また、搬送ベルト１０を、ゴム材に磁気性材料を混合した磁力を有するものとしている。なお、本実施形態では、磁気性材料として砂鉄を使用し、その砂鉄をゴム材に混合し、その混合した砂鉄を磁化している。
【００３６】
本実施形態に係るパチンコ玉供給装置１は、次のように作動する。まず、モーターを稼動して下流側のローラー（駆動ローラー１１ａ）を回転させ、搬送ベルトを周回させる。この搬送ベルト１０の周回により、揚送機構５０によって供給部５１に揚送されたパチンコ玉４を、搬送ベルト１０の下位直線部１３の磁力および移動によって移動させ、補給樋２０の平板部２１との間に挟むようにして下流側に送り、第一補給シュート３１および第二補給シュート３２を介して各パチンコ機３に供給する。
【００３７】
この際、搬送ベルト１０によって搬送されるパチンコ玉４は、補給樋２０の上面を下流側に移動しながら、随時、補給樋２０の傾斜の作用により、低所側Ｌに自重で転がる。そして、低所側Ｌおよび高所側Ｈの各パチンコ機３ａ，３ｂの分離器６０ａ，６０ｂに入り、そこから第一補給シュート３１および第二補給シュート３２を通過して、それぞれ低所側Ｌのパチンコ機３ａおよび高所側Ｈのパチンコ機３ｂに供給される。これにより、低所側Ｌおよび高所側Ｈの全てのパチンコ機３に、パチンコ玉４を均等に供給することができる（図４，５，６参照）。
【００３８】
一方、いずれのパチンコ機３にも供給されず、補給樋２０の下流側端部まで達したパチンコ玉４は、下流側円弧部１５と端部樋８０の湾曲板８１との間で挟持され、下流側円弧部１５の移動によって湾曲板８１の表面を転がるようにして移動し、上位直線部１２に達する。
【００３９】
上位直線部１２に達したパチンコ玉４は、そのまま上位直線部１２に上載された状態で上流側端部まで達し、供給部５１に落下する。そして、供給部５１に落下したパチンコ玉４は、再び、下位直線部１３によって送られ、各パチンコ機３に供給される。また、残存したパチンコ玉４は供給部５１まで戻される。
【００４０】
こうした作用により、補給樋２０に残存したパチンコ玉４を遊技機島２の下部に位置する貯留タンク５２まで戻し、そこから再び揚送機構５０によって供給部５１まで揚送するといった動作を必要としない。従って、パチンコ玉４をきわめて効率的にパチンコ機３に供給することができ、揚送機構５０に必要以上の稼動を強いることがない。その結果、消費電力を削減し、特に、揚送機構５０の故障の発生を抑制することができる。また、揚送機構５０に設けられている研磨布の無駄な消費をなくすことができる。従って、きわめて経済的である。
【００４１】
なお、このパチンコ玉供給装置１は、下位直線部１３と平板部２１との間の間隔Ｃをパチンコ玉４の直径とほぼ等しく設定しているので、供給部５１のパチンコ玉４を、補給樋２０の平板部２１の上面を、搬送ベルト１０の下位直線部１３で挟んで押すようにして転がしながら円滑に移動させることができる。
【００４２】
また、下流側円弧部１５と湾曲板８１との間隔Ｃ１を、パチンコ玉４の直径よりやや狭く設定しているので、当該下流側円弧部１５と湾曲板８１とでパチンコ玉４を確実に挟持することができる。従って、パチンコ玉４を下位直線部１３からその上位に位置する上位直線部１２まで確実に移動させることができる。
【００４３】
また、上位直線部１２を支持枠の支持プレート７１によって下から支持しているので、この上位直線部１２はパチンコ玉４の重量によって陥没変形することなく、安定姿勢で供給部５１まで送ることができる。
【００４４】
なお、この搬送ベルト１０はその上流側と下流側に設けた二つのローラー１１に懸架させているので、下位直線部１３の中央部分が自重によって垂下し易いが、この垂下によってパチンコ玉４に、より強く接触するので、当該パチンコ玉４を効率的に搬送することができると言った利点がある。
【００４５】
なお、このパチンコ玉供給装置１は、搬送ベルト１０を前後長手方向に水平に配置しているので、高さ方向に大きな設置スペースを必要としないと共に、照明を遮らない。従って、遊技場を広く開放感があり、明るい雰囲気の場所とすることができる。
【００４６】
また、補給樋２０の平板部２１から側壁２２を立設し、支持樋７０の支持プレート７１からサイド壁７２を立設し、さらに、端部樋８０の湾曲板８１から横壁８２を立設しているので、これら側壁２２、サイド壁７２および横壁８２によって、パチンコ玉４が左右方向に逃げて落下するのを防止することができる。これにより、パチンコ玉４を正確に移動させることができる。
【００４７】
また、補給樋２０の低所側Ｌの直上に位置するサイド壁７２の上流側端部を、内方に傾斜させた傾斜ガイド７３としているので、パチンコ玉４を供給部５１の中央部に落下させることができる。これにより、パチンコ玉４が供給部５１の左右一方側に偏って溜まり、そこから落下してしまうといった事態を未然に防止することができる。
【００４８】
さらに、本実施形態に係るパチンコ玉供給装置１は、搬送ベルト１０を、磁気性材料を混合した磁力を有するものとしているので、磁力によって鉄製であるパチンコ玉４を吸着し、より効率的に搬送することができる。なお、磁気性材料として砂鉄を使用し、その砂鉄をゴム材に混合し、その混合した砂鉄を磁化しているので、搬送ベルト１０に効果的かつ廉価なコストで磁力を与えることができる。
【００４９】
なお、補給樋２０、支持樋７０および端部樋８０をステンレス製とすることができる。これにより、これらの部材に搬送ベルト１０の磁力が作用せず、また、表面が滑らかで剛性が高いので、パチンコ玉４を、長期にわたって円滑に移動させることができる。
【００５０】
本発明に係るパチンコ玉供給装置１は、上記実施形態のように、搬送ベルト１０を前後長手方向に水平に配置した構成のものに限定されず、例えば、前方に下降傾斜させた構成のものにも適用することができる。
【００５１】
また、搬送ベルト１０および補給樋２０を、左右短尺方向の一方側に所定角度αで傾斜させた構成のものに限定されない。従って、例えば、搬送ベルト１０および補給樋２０を左右短尺方向に水平に設けたものや、補給樋２０をその中心ラインを稜線として左右短尺方向へ下降傾斜させたものなどにも適用することができる。また、ローラー１１の数も二つに限定されず、三つ以上設けることができる。
【図面の簡単な説明】
【００５２】
【図１】本発明に係るパチンコ玉供給装置の実施形態を示す側面構成図である。
【図２】図１に示す供給装置の要部を示す側面拡大構成図である。
【図３】図１に示す供給装置の正面断面構成図である。
【図４】図１に示す供給装置の要部を示す側面拡大構成図である。
【図５】図４のＹ−Ｙ線矢視構成図である。
【図６】図４のＺ−Ｚ線矢視構成図である。
【図７】図２のＸ−Ｘ線矢視構成図である。
【図８】図１に示す供給装置の部分平面図である。
【符号の説明】
【００５３】
１        パチンコ玉供給装置
２        遊技機島
３        パチンコ機
３ａ      パチンコ機（低所側）
３ｂ      パチンコ機（高所側）
４        パチンコ玉
１０      搬送ベルト
１１      ローラー
１１ａ    駆動ローラー
１１ｂ    従動ローラー
１２      上位直線部
１３      下位直線部
１４      上流側円弧部
１５      下流側円弧部
２０      補給樋
２１      平板部
２２      側壁
３０      補給シュート
３１      第一補給シュート
３２      第二補給シュート
５０      揚送機構
５１      供給部
５２      貯留タンク
６０      分離器
６０ａ    分離器（低所側）
６０ｂ    分離器（高所側）
７０      支持樋
７１      支持プレート
７２      サイド壁
７３      傾斜ガイド
８０      端部樋
８１      湾曲板
８２      横壁
Ｃ        間隔
Ｃ１      間隔
Ｄ        搬送ベルト（およびローラー）の傾斜ライン
Ｅ        水平ライン
Ｈ        高所側
Ｌ        低所側
α        所定角度